(57)【要約】【課題】圧縮されて閉塞された樹脂管を、容易に復元できるとともに軽量で取扱いが容易な樹脂管の拡開装置を提供する。【解決手段】外周側から偏平状に圧縮されて内部流体を一時的に閉塞された樹脂管Ｐの偏平部を復元して連通させる樹脂管の拡開工具であって、樹脂管Ｐと平行な開閉軸心Ｏを中心に開閉自在に連結された一対のアーム１，１と、前記両アーム１，１間にわたって設けられてアーム１，１を開閉駆動する手動式ねじジャッキ３と、前記アーム１，１遊端部にそれぞれ取付けられた加圧部材５，５とを具備し、加圧部材５，５の加圧面５ａ，５ａが、樹脂管Ｐと平行な軸心を中心とする湾曲状に形成され、加圧部材５，５の加圧面５ａ，５ａ間に樹脂管Ｐの偏平部を嵌入し、手動式ねじジャッキ３によりアーム１，１を閉動して偏平部を長径方向から加圧し偏平部を略円形に復元するものである。【選択図】        図１
2006170430.tif 000002
【特許請求の範囲】
【請求項１】
樹脂管を外周側から圧縮して形成された偏平部により、樹脂管の内部流体を一時的に閉塞した後、前記偏平部を復元して前記樹脂管を連通させる樹脂管の拡開工具であって、
樹脂管と平行な開閉軸心を中心に開閉自在に連結された一対のアームと、前記両アーム間にわたって設けられてアームを開閉駆動する手動式ねじジャッキと、前記アームの遊端部にそれぞれ取付けられた加圧部材とを具備し、
前記加圧部材の加圧面が、樹脂管と平行な軸心を中心とする湾曲状に形成され、
前記加圧部材の加圧面間に樹脂管の前記偏平部を嵌入して前記手動式ねじジャッキによりアームを閉動し偏平部を長径方向に加圧することにより、前記偏平部を略円形に復元するように構成された
樹脂管の拡開工具。
【請求項２】
加圧部材は、両アームの遊端部に開閉軸心と平行な軸心周りに回動自在に支持されるとともに、前記加圧面が開閉軸心側に向くように加圧部材を回動付勢する付勢部材と、前記加圧部材の開閉軸心側への回動を調整可能に規制する規制調整具とが設けられ、
前記規制調整具は、樹脂管の径ごとに、アームの閉動規制位置で加圧部材の加圧面が互いに平行に対面するよう調整可能に構成された
請求項１記載の樹脂管の拡開工具。
【請求項３】
一方のアームに回動自在に連結されるとともに他方のアームにガイド部を介して長さ方向に移動自在に保持されたスケール部材と、前記スケール部材に設けられて樹脂管径に対応するアームの加圧閉動限の開度を表示する表示部と、他方のアームに設けられて前記スケール部材の表示部を指示する指示部とを有する拡開計測部を設けた
請求項１または２記載の樹脂管の拡開工具。
【請求項４】
一方のアームの基端側に固定されたスケール板と、前記スケール板に設けられて樹脂管径に対応するアームの加圧閉動限の開度を表示する表示部と、他方のアームの基端部に設けられて前記スケール板の表示部を指示する指示部とを有する拡開計測部を設けた
請求項１または２記載の樹脂管の拡開工具。
【発明の詳細な説明】
【技術分野】
【０００１】
本発明は、樹脂管内に流れるガスなどの流体を一次的に遮断するために、外周側から樹脂管を圧縮して偏平状とした後、次に流体の流送を再開するために樹脂管を加圧して元の形状に復元する樹脂管の拡開工具（スクイズ工具）に関する。
【背景技術】
【０００２】
従来、たとえばガス配管の樹脂管を遮断する工法として、樹脂管を一対の押圧体で加圧して加圧部分を偏平状に圧縮し、一時的にガスを閉塞する工法が提案されており、これらは特許文献１〜３にそれぞれ開示されている。
【０００３】
しかしながら、一時的に樹脂管を閉塞した後、ガスの流送を再開する場合、押圧体を離反させることで、樹脂管の弾性により幾分復元されるものの、樹脂材料が塑性変形を起しているため、完全に元に戻ることはない。このため、樹脂管の偏平部を元に戻す必要があり、偏平部を長径方向に沿って強制的に加圧圧縮することにより、樹脂管を元の形状に復元することができる。
【０００４】
たとえば特許文献２の図１，図２に開示された圧縮遮断装置を拡開に適用する場合、この装置を９０°傾転させて横向に配置することにより、樹脂管の偏平部を長径方向から加圧して略円形に復元することができる。
【特許文献１】特開平８−６１５２３号公報
【特許文献２】特開２０００−１６１５３３
【特許文献３】特開２００１−２１０５１
【発明の開示】
【発明が解決しようとする課題】
【０００５】
しかし、特許文献１〜３に開示された装置は、駆動源として油圧シリンダを使用するため、装置全体が大きくかつ重量物となって取扱いが困難となりやすい。しかも埋設管などでは、地盤に幅方向に必要以上に広い穴を掘削する必要がある。
【０００６】
本発明は上記問題点を解決して、圧縮されて閉塞された樹脂管を、容易に復元できるとともに軽量で取扱いが容易な樹脂管の拡開装置を提供することを目的とする。
【課題を解決するための手段】
【０００７】
請求項１記載の発明は、樹脂管を外周側から圧縮して形成された偏平部により、樹脂管の内部流体を一時的に閉塞した後、前記偏平部を復元して樹脂管を連通させる樹脂管の拡開工具であって、樹脂管と平行な開閉軸心を中心に開閉自在に連結された一対のアームと、前記両アーム間にわたって設けられてアームを開閉駆動する手動式ねじジャッキと、前記アームの遊端部にそれぞれ取付けられた加圧部材とを具備し、前記加圧部材の加圧面が、樹脂管と平行な軸心を中心とする湾曲状に形成され、前記加圧部材の加圧面間に樹脂管の前記偏平部を嵌入して前記手動式ねじジャッキによりアームを閉動し前記偏平部を長径方向に加圧することにより、前記偏平部を略円形に復元するように構成されたものである。
【０００８】
また請求項２記載の発明は、加圧部材は、両アームの遊端部に開閉軸心と平行な軸心周りに回動自在に支持されるとともに、前記加圧面が開閉軸心側に向くように加圧部材を回動付勢する付勢部材と、前記加圧部材の開閉軸心側への回動を調整可能に規制する規制調整具とを具備し、前記規制調整具は、樹脂管の径ごとに、アームの閉動規制位置で加圧部材の加圧面が互いに平行に対面するよう調整可能に構成されたものである。
【０００９】
さらに請求項３記載の発明は、一方のアームに回動自在に連結されるとともに他方のアームにガイド部を介して長さ方向に移動自在に保持されたスケール部材と、前記スケール部材に設けられて樹脂管径に対応するアームの加圧閉動限の開度を表示する表示部と、他方のアームに設けられて前記スケール部材の表示部を指示する指示部とを有する拡開計測部を設けたものである。
【００１０】
さらにまた請求項４記載の発明は、一方のアームの基端部に固定されてたスケール板と、前記スケール板に設けられて樹脂管径に対応するアームの加圧閉動限の開度を表示する表示部と、他方のアームの基端部に設けられて前記スケール板の表示部を指示する指示部とを有する拡開計測部を設けたものである。
【発明の効果】
【００１１】
上記請求項１記載の発明によれば、アームを開いて加圧部材を樹脂管の偏平部に対して長径方向から挟み付け、手動式ねじジャッキによりアームを閉動して加圧部材により加圧することにより、容易に偏平部を略円形に復元することができる。また一対のアームと手動式ねじジャッキと加圧部材とにより、工具全体を軽量化でき、取扱いを容易に行うことができる。また埋設管の場合、上方からアームを差込んで加圧部材の間に偏平部を挟み込むことができ、必要以上の幅の掘削穴を掘る必要もない。
【００１２】
請求項２記載の発明によれば、アームの遊端部の加圧部材を回動自在に設け、付勢部材により加圧面が開閉軸心側に向くように回動付勢するとともに規制調整具で閉動限を規制するので、加圧部材を付勢部材に抗して開いて加圧面を偏平部側に開放することにより、アームを必要以上に開くこと無く、加圧部材間に偏平部に外嵌させることができる。また付勢部材と規制調整具の作用により、加圧面の姿勢が保持されて樹脂管を良好に加圧することができる。さらに異径の樹脂管であっても、規制調整具を調整して、樹脂管が略円形となるアームの閉動限で両加圧面を対面させることで、樹脂管を良好に復元することができる。
【００１３】
請求項３および４記載の発明によれば、拡開計測部により、目視で樹脂管の拡開状態を検知して樹脂管径に対応してアームの閉動限を容易に知ることができ、拡開作業を迅速に行うことができる。
【発明を実施するための最良の形態】
【００１４】
以下、本発明の実施の形態を図面に基づいて説明する。
［実施の形態１］
図１〜図３に示すように、この拡開工具は、樹脂管Ｐの軸心Ｏｐに平行な開閉軸心Ｏ上の開閉ボルト２を介して開閉自在に連結された左右一対のアーム１，１と、前記両アーム１，１間にわたって設けられてアーム１，１を開閉駆動する手動式ねじジャッキ３と、前記アーム１，１の遊端部にそれぞれ開閉軸心Ｏと平行な支持ピン４，４を介して所定範囲で回動自在に取付けられた加圧部材５，５と、両アーム１，１間にわたって設けられてその開度を検出可能な拡開計測部６とを具備している。
【００１５】
前記アーム１は、基端のボルト穴と円柱状の支持体７とに嵌合された開閉ボルト２を介して開閉自在に連結された基端アーム部１ＡＲ，１ＡＬと、この基端アーム部１ＡＲ，１ＡＬの先端部（折り曲げ部１Ｃ）から所定角度（図面では約５０°）内側（閉動側）に折り曲げて連結された遊端アーム部１ＢＲ，１ＢＬからなり、基端アーム部１ＡＲ，１ＡＬおよび遊端アーム部１ＢＲ，１ＢＬは、正面板と後面板が連結板により連結され内面が開放されたチャンネル形断面に形成されている。８は支持体７に連結された吊下用のアイボルトである。
【００１６】
前記手動式ねじジャッキ３は、左右の遊端アーム部１ＢＲ，１ＢＬの折り曲げ部１Ｃ側にわたって取付けられている。すなわち、右遊端アーム部１ＢＲの前後面板の貫通穴に、開閉軸心Ｏに平行な支軸１１を介して軸受部材１２が回動自在に支持され、左遊端アーム部１ＢＬの前後面板の貫通穴に、開閉軸心Ｏに平行な支軸１３を介して雌ねじ部材１４が回動自在に支持されている。そしてねじ軸１５の軸部の基端側が軸受部材１２に回転自在に支持され、また雄ねじ部１５ａが雌ねじ部材１４に螺合して装着されている。またねじ軸１５は、基端に六角柱状の入力部１５ｂが形成され、軸受部材１２と雄ねじ軸１５ａの先端部にストッパ１５ｃ，１５ｄが取付けられている。したがって、入力部１５ｂにレンチを装着してねじ軸１５を回転駆動することにより雌ねじ部材１４を介してアーム１，１を開閉することができる。
【００１７】
前記加圧部材５，５の加圧面５ａ，５ａはそれぞれ円弧面（湾曲面）状に形成されており、これら加圧部材５，５の加圧面５ａ，５ａ間に樹脂管Ｐの偏平部Ｐａを嵌合して偏平部Ｐａの長径方向の両端部を加圧面５ａ，５ａに当て付け、手動式ねじジャッキ３によりアーム１，１を閉動して加圧することにより前記樹脂管Ｐを略円形に復元させるものである。前記加圧面５ａは、開閉軸Ｏに平行な湾曲軸心Ｏｓを有する円弧面（図では最大径の樹脂管Ｐの外径Ｒに対応）に形成されている。また加圧部材５の背面に樹脂管Ｐの管軸心Ｏに平行な貫通孔を有するスリット付きの取付部５ｂが突設されている。左右の遊端アーム部１ＢＲ，１ＢＬの遊端側で前後面板に形成された貫通穴と、加圧部材５の取付部５ｂの貫通孔に支持ピン４が嵌合されて、加圧部材５，５がアーム１，１の遊端部の内側に所定範囲で回動自在に取付けられている。なお、図５に示すように、アーム１，１が開いて加圧する状態でも、左右の支持ピン４を結ぶ線Ｌより開閉軸心Ｏ側に加圧面５ａ，５ａの湾曲軸心Ｏｓが位置するように後述する調整ボルト２４を調整し、これにより樹脂管Ｐを下方に逃げる力を付与することなく良好に加圧できるように構成されている。
【００１８】
また前記取付部５ｂのスリットには支持ピン４にコイルばね（付勢部材）２２が装着され、コイルばね２２により加圧部材５が加圧面５ａを上方（開閉軸心Ｏ側）に向くように回動付勢されている。また加圧部材５には、取付部５ｂより上位にねじ穴２３が開閉軸心Ｏに直交する左右方向に貫通され、このねじ孔２３に嵌合されたロックナット付きの調整ボルト（規制調整具）２４が装着されて外方（アーム１側）に突設されている。そして調整ボルト２４の先端を遊端アーム部１ＢＲ，１ＢＬの連結板の内面に当接させることにより、加圧部材５の上方への回動限を規制している。図３に示す２４ａは、ロックナット付き調整ボルト２４の基端部に形成された六角レンチ用の係合穴である。
【００１９】
前記基端アーム部１ＡＲ，１ＡＬには、アーム１，１の開度を計測する拡開計測部６が設けられている。この拡開計測部６はスケール板（スケール部材）３１と、スケール板３１の目盛３１ａを指す指示部３２とを具備している。すなわち、スケール板３１は、一端が右基端アーム１ＡＲに支持ピン３３を介して回動自在に支持され、他端は長さ方向の長孔（ガイド部）３１ｂが左基端アーム部１ＡＬに突設されたガイドピン（ガイド部）３４に長さ方向に移動自在に支持されている。また目盛３１ａは、スケール板３１の下辺の所定位置に三角状に切り欠かれており、ここでは、たとえば管径（数字は内径を示す）１００Ａ，７５Ａ，５０Ａに対応するアーム１,１の加圧閉動限の開度を示している。また指示部３２は、たとえば左基端アーム部１ＡＬの前面板の表面に固定された線材により形成されている。
【００２０】
上記構成において、偏平状に圧縮されて閉鎖された樹脂管Ｐの復元作業を説明する。
まず、図４に示すように、アーム１，１の閉動限で加圧部材５，５の加圧面５ａ，５ａが平行に対面するように、樹脂管Ｐの径に合わせて調整ボルト２４を調整する。次いで、手動式ねじジャッキ３を回転駆動して偏平部Ｐａの幅（長径）に合わせてアーム１，１を開放する。さらに、図４に仮想線で示すように、手で加圧部材５，５の下部を開放しつつ加圧部材５，５間に樹脂管Ｐの偏平部Ｐａで長径方向の両端に外嵌させる。
【００２１】
レンチなどにより手動式ねじジャッキ３を回転駆動してアーム１，１を閉動させ、図５に示すように、加圧部材５，５により樹脂管Ｐの偏平部Ｐａを長径方向から圧縮して短径方向に拡開させ、樹脂管Ｐを略円形状に復元する。この時、左右の加圧部材５，５は、コイルばね２２により加圧面５ａが上方に向くようにそれぞれ回動付勢されるとともに調整ボルト２４に回動を規制され、常に管軸心Ｏｐが左右の支持ピン４を結ぶ線Ｌより上方に位置するように加圧面５ａ，５ａで挟み付けるので、樹脂管Ｐが保持されつつ安定して加圧され、拡開することができる。
【００２２】
そして、図１に示すように、指示部３２に示された目盛３１ａが樹脂管Ｐの径に対応すると、樹脂管Ｐの圧縮を停止する。後は手動式ねじジャッキ３を逆転してアーム１，１を開放し、加圧部材５を樹脂管Ｐから離脱させる。
【００２３】
なお、小径の樹脂管Ｐの場合の加圧拡開状態は、図６，図７に示すようになる。
上記実施の形態によれば、アーム１，１を開き、加圧部材５，５の加圧面５ａ，５ａ間に樹脂管Ｐの偏平部Ｐａを長径方向から挟み、手動式ねじジャッキ３によりアーム１，１を閉動して偏平部Ｐａを長径方向から加圧することにより、容易に樹脂管Ｐを略円形状に復元することができる。また一対のアーム１，１と手動式ねじジャッキ３と加圧部材５，５とにより、工具全体を小型化、軽量化できて、その取扱いを容易に行うことができる。また埋設された樹脂管Ｐの場合、上方から樹脂管Ｐの両側にアーム１，１を差込んで加圧部材５，５を挿入し、偏平部Ｐａを挟み込むことができるので、掘削穴の幅を最小にできる。
【００２４】
さらに、加圧部材５，５を支持ピン４，４を介してそれぞれ回動自在に設け、コイルばね２２により加圧面５ａが上方に向くように加圧部材５，５をそれぞれ回動付勢するとともに調整ボルト２４で閉動限を規制するように構成したので、アーム１，１の開放が少なくても圧縮された樹脂管Ｐの偏平部Ｐａに嵌入させることができ、アーム１，１を必要以上に開く必要が無い。
【００２５】
また上記拡開工具の自重と、コイルばね２２と調整ボルト２４の作用とにより、樹脂管Ｐの管軸心Ｏｐが左右の支持ピン４を結ぶ線Ｌより上方に位置させて、確実に加圧面５ａ，５ａの間に樹脂管Ｐの偏平部Ｐａに挟み込み、安定して加圧して偏平部Ｐａを拡開することができる。さらに樹脂管Ｐの偏平部Ｐａが略円形となる閉動限で、コイルばね２２と調整ボルト２４の作用とにより、両加圧部材５，５の加圧面５ａ，５ａを良好に対面させて良好な略円形断面に復元することができる。また調整ボルト２４により加圧部材５の閉動限を調整して径の異なる複数種類の樹脂管Ｐであっても、樹脂管Ｐの外径に対応して対面する加圧時に開閉軸心Ｏ側に向く加圧面５ａ，５ａの回動限の角度を調整することができ、偏平部Ｐａを良好な略円形状に復元することができる。
【００２６】
さらにまた、拡開計測部６により、目視で、樹脂管Ｐの径に対応したアーム１，１の加圧閉動限を容易に検知することができ、拡開作業を迅速に行うことができる。
［実施の形態２］
樹脂管の拡開工具の実施の形態２を図８を参照して説明する。なお。実施の形態１と同一部材には同一符号を付して説明を省略する。
【００２７】
この拡開工具は、吊下用部材と拡開計測部とを変更したものである。
開閉軸心Ｏ上に開閉ボルト２を介してアーム１，１に取り付けられた支持体７には、吊下用のＴ字形ボルト４８が連結固定され、特に手動による操作性を向上させている。
【００２８】
またアーム１，１の加圧閉動限を検知する拡開計測部４６は、右基端アーム１ＡＲの前面板が、左基端アーム１ＡＬの前面側となるように拡張されて扇形のスケール板４６ａが形成されている。そしてこのスケール板４６ａの円弧部に、樹脂管Ｐの径に対応したアーム１，１の加圧閉動限の開度を示す目盛４６ｂが形成され、この目盛４６ｂはたとえば管径（数字は内径を示す）１００Ａ，７５Ａ，５０Ａの加圧閉動限をそれぞれ表示している。また左基端アーム１ＡＬには、目盛４６ｂを指す指示部４６ｃが設けられており、ここでは左基端アーム１ＡＬの内縁部が指示部４６ｃにされている。もちろんこの指示部４６ｃは左基端アーム１ＡＬの外側面板に表記または刻設することもできる。この拡開計測部４６により、組立部材を少なくして部品点数や組立時間を削減できるとともに、アーム１，１から突出する部材を削減することで、取り扱いが簡易で損傷しにくい。また加圧閉動限の検知も容易に行える。
【００２９】
さらに両アーム１，１で基端アーム部１ＡＲ，１ＡＬと遊端アーム部１ＢＲ，１ＢＬには、折り曲げ部１Ｃの両側にわたって前面板および背面板に補強板４１Ｒ，４１Ｌがそれぞれ固着されている。これによりアーム１，１の機械的強度を増大させている。
【００３０】
上記実施の形態２によれば、拡開計測部４６により、右基端アーム１ＡＲの前面板を延長してスケール板４６ａを形成し、スケール板４６ａの目盛４６ｂを指す指示部４６ｃを左基端アーム１ＡＬに設けたので、部品や組立コストの削減と取り扱いの容易化を図ることができる。
【図面の簡単な説明】
【００３１】
【図１】本発明に係る樹脂管の拡開工具の実施の形態１を示す正面図である。
【図２】同拡開工具の側面図である。
【図３】同拡開工具の要部正面断面図である。
【図４】同拡開工具の操作手順を示す正面図である。
【図５】同拡開工具の操作手順を示す正面図である。
【図６】同拡開工具で径の異なる管を拡開した状態を示す正面図である。
【図７】同拡開工具で径の異なる管を拡開した状態を示す正面図である。
【図８】本発明に係る樹脂管の拡開工具の実施の形態２を示す正面図である。
【符号の説明】
【００３２】
Ｐ    樹脂管
Ｐａ  偏平部
Ｏ    開閉軸心
Ｏｐ  管軸心
１    アーム
１Ｃ  折り曲げ部
２    開閉ボルト
３    手動式ねじジャッキ
４    支持ピン
５    加圧部材
５ａ  加圧面
６    拡開計測部
１５    ねじ軸
２２    コイルばね
２４    調整ボルト
３１    スケール板
３１ａ  目盛
３１ｂ  長穴
３２    指示部
４６    拡開計測部
４６ａ  スケール板
４６ｂ  目盛
４６ｃ  指示部
【図１】
2006170430.tif 000003
【図２】
2006170430.tif 000004
【図３】
2006170430.tif 000005
【図４】
2006170430.tif 000006
【図５】
2006170430.tif 000007
【図６】
2006170430.tif 000008
【図７】
2006170430.tif 000009
【図８】
2006170430.tif 000010